(57)【要約】【課題】  シャンデリア型の照明やインスタレーション等に適した、軽量で組み立て容易な発光装置を提供する。【解決手段】  インスタレーションとしての発光装置１は、透明樹脂板３の縁部３ａに光源４が配置されるとともに、光を散乱させる散乱シート６が透明樹脂板３の裏面３ｂに積層された発光パネル２を、上位にあるものから下位にあるものにかけて各表面２ａに水が伝い得るように配置したものである。光源４を点灯させた状態で、上位にある発光パネル２から下位の複数の発光パネル２の各表面２ａに水を流すよう構成した。各パネル２の表面に親水性皮膜を形成している。【選択図】      図１
2010092655.tif 000002
【特許請求の範囲】
【請求項１】
透明樹脂板の縁部に光源が配置されるとともに、光を散乱させる散乱シートが当該透明樹脂板の裏面に積層された発光パネルを、照明または装飾の機能をなすように複数枚集合させて配置したことを特徴とする発光装置。
【請求項２】
上記複数枚の発光パネルを、上位にあるものから下位にあるものにかけて各表面に液体が伝い得るように配置したうえ、上記光源を点灯させた状態で、上位にある発光パネルから下位の発光パネルの各表面に液体を流すよう構成したことを特徴とする請求項１に記載の発光装置。
【請求項３】
上記の液体として水を流すこととし、上記各発光パネルの表面に親水性の皮膜を形成したことを特徴とする請求項２に記載の発光装置。
【請求項４】
透明樹脂板の一つの縁部のみに光源を配置し、当該光源を設けた縁部を上にして一群の発光パネルを室内の天井部分に配置したことを特徴とする請求項１に記載の発光装置。
【請求項５】
天井部分に配置した一群の発光パネルの全部または一部について、光源を点灯させるものまたは高輝度にするものを、配置に沿って順次に変更することを特徴とする請求項４に記載の発光装置。
【請求項６】
透明樹脂板の対向する二つの縁部に光源を配置するとともに、表面と直角に近い方向に光を屈折させて出射させるシートを当該透明樹脂板の表面に積層した発光パネルを、室内の天井部分に複数配置したことを特徴とする請求項１に記載の発光装置。
【請求項７】
複数の発光パネルを陳列棚に組み込んだことを特徴とする請求項１に記載の発光装置。
【請求項８】
複数の発光パネルを階段の各段における踏み板としたことを特徴とする請求項１に記載の発光装置。
【請求項９】
複数の発光パネルを、階段またはフロアにおける手摺の笠木の下部に配置したことを特徴とする請求項１に記載の発光装置。
【請求項１０】
発光パネルの透明樹脂板に、表面と裏面との間で遮光されない部分を設けたことを特徴とする請求項９に記載の発光装置。
【発明の詳細な説明】
【技術分野】
【０００１】
請求項に係る発明は、透明樹脂板の縁部に配置した光源からの光を、その透明樹脂板の表面から出射する発光パネルを用いた発光装置に関するものである。
【背景技術】
【０００２】
透明樹脂板の縁部に配置した光源からの光を、その透明樹脂板の表面から出射する発光パネルは、エッジライトパネルとも呼ばれ、すでにサインディスプレイ（図形や文字等の表示板）や広告等の形態で利用されている（たとえば、下記の特許文献１や特許文献２など参照）。
【０００３】
エッジライトパネルを用いてサインを表示する表示板の一例（特許文献２に記載のもの）を図８に示す。図示の表示板１’は、エッジライトパネル２’の表面２ａ’（出射面）に表示サイン１０’（矢印マーク）を重ね、これらをケース２０’に収納してなる。
エッジライトパネル２’は、主として導光板３’と、導光板３’の縁部３ａ’に配置された光源４’と、光源４’を覆うように配置された反射板５’とで構成されている。導光板３’の裏面には、反射性のドット印刷やＶ溝の成形などにより反射パターン（図示せず）を設けている。このような構成の表示板１’において、エッジライトパネル２’の光源４’からの光は、直接または反射板５’に反射して導光板３’に縁部３ａ’から入射し、その内部で全反射を繰り返すうちに反射パターンに当たって角度を変え、表面２ａ’から出射して、重ねられている表示サイン１０’を照らす。なお、図には示されていないが、一般に、導光板は裏面に反射シート、表面に拡散シートを備えている。反射シートは、表面での輝度を上げる作用をもち、拡散シートは、反射パターンを目立たなくする作用をもつ。
【特許文献１】特開平８−１２２５３７号公報
【特許文献２】特開２００１−２３６８０９号公報
【発明の開示】
【発明が解決しようとする課題】
【０００４】
上記特許文献１・２に示された表示板等は、単一のパネルであり、文字・図形等を標識や案内のために示すものであって、装飾的な美観をともなった照明手段または美的インテリア等として構成されることはなかった。
【０００５】
請求項の発明は、このような点を考慮してなされたもので、低電力、低価格で装飾性のある発光装置を提供することを目的とする。
【課題を解決するための手段】
【０００６】
請求項に記載の発光装置は、透明樹脂板の縁部に光源が配置されるとともに、光を散乱させる散乱シートが裏面に積層（散乱させる部分が直接プリントされている場合を含む）された発光パネルを、照明または装飾の機能をなすように複数枚集合させて配置したことを特徴とする。
この発光パネルにおいて、散乱シートとは、入射する光の反射角度を変える作用をする散乱部を有するシートを意味し、反射性素材を印刷したりエッチング加工を施すことにより得られる。散乱部は、表面での輝度を均一にするための配置に限られず、デザインされた文字や模様を描くように配置することも考えられる。
透明樹脂板の縁部から入射した光源の光は、透明樹脂板の内部で全反射するうちに散乱シートの散乱部に当たって反射角度を変え、透明樹脂板の表面から出射する。透明樹脂板の表面では、散乱部の配置を反映して、デザインされた文字や模様が周囲よりも光って見える。
発光パネルは、縁部に配置した光源だけで表面を発光させることができるので、軽量・低価格で取り扱いが容易であるという利点をもつ。光源を背面に有する一般的な照明器具に比べ、きわめて薄くすることができる。また、散乱部を自由に配置することができるので、表面に装飾的な光の模様を見せることができる。
したがって、複数枚の発光パネルを集合させた発光装置によれば、これまでになかった大型の装飾的な照明やインスタレーション（オブジェ）を提供することが可能である。比較的サイズの大きい照明が必要な空間、たとえばホテルのロビーやビルのエントランス等に設置するのにとくに適している。また、取り扱いが容易で、組み立て・解体がしやすいことから、イベント会場等に短期間設置する場合にも好適である
光源には、ＬＥＤ（発光ダイオード）、蛍光灯、冷陰極管等を用いることができる。なかでもＬＥＤは軽量で消費電力が少ないので、発光パネルの枚数が多くても構造的な負荷が少なくてすむほか、ランニングコストや発熱量も低く抑えることができる。消費電力が少ないことは、二酸化炭素の排出量の削減効果の点からも有利である。
【０００７】
請求項２に記載の発光装置は、上記複数枚の発光パネルを、上位（の位置）にあるものから下位（の位置）にあるものにかけて各表面に液体が伝い得るように配置したうえ、上記光源を点灯させた状態で、上位にある発光パネルから下位の発光パネルの各表面に液体を流すよう構成したことを特徴とする。図１〜図３にはその一例を示している。
この発光装置によれば、カスケード（階段状の滝）のように構成された発光パネルの表面に液体を流すことで、発光パネルの表面を流れる液体や上位のものから下位のものに落ちる液体のしずくに、発光パネルからの照明を当てることになる。流れる液体やそのしずくを輝かせることによって、動きと美しさが強調できる。光源を別に設置する必要がないので、あらかじめ準備した階段状の架台等に発光パネルをはめるだけでも発光装置を構成でき、組み立てや解体が容易である。
【０００８】
この場合、請求項３に記載の発光装置のように、上記の液体として水を流すこととし、上記各発光パネルの表面に、さらに親水性の皮膜を形成することも考えられる。
透明樹脂板の表面に親水性があると、水がはじかれて一部に集まるのではなく、発光パネルの表面状で広がり、面を広く覆うように流れるので、輝く水の流れにより発光装置全体がさらに美しく見える。なお、上記の液体として水を使用すると、コスト的に有利であるうえ、発行装置の周囲が清涼になる効果がある。水の流し方によっては、渓流や滝におけるのと同様にマイナスイオンの発生も期待でき、さらに好ましい。
【０００９】
請求項４に記載の発光装置は、透明樹脂板の一つの縁部のみに光源を配置し、当該光源を設けた側の縁部を上にして、一群の発光パネルを室内の天井部分に配置したことを特徴とする。一群の発光パネルをたとえば図４のように配置して、シャンデリアのように使用するのである。
上述したように発光パネルが軽量であるため、この発光装置は、多数枚の発光パネルを組み合わせて任意の大きさの構成にし、天井部分に配置することができる。曲げ加工された発光パネルを用いれば、円形に並べることも可能である。
散乱シートの散乱部にデザインされた模様等を付けることができるので、発光パネルの表面に模様が光って装飾効果が大きくなる。さらに、発光パネルの表面にも模様をプリントするか、その模様をプリントしたシートを積層してもよい。
【００１０】
請求項５に記載の発光装置は、天井部分に配置した一群の発光パネルの全部または一部について、光源を点灯させるものまたは高輝度にするもの（色の変化や光の強弱を付けるものを含む）を、配置に沿って順次に変更することを特徴とする。これも一群の発光パネルをシャンデリアのように使用するもので、図５（ａ）・（ｂ）はその一例である。
この発光装置によれば、明るい部分が順次移動するので、複数の発光パネルを川のように配置することで、天の川を見上げるような空間を提供することができる。曲面に加工された発光パネルを用いれば、流れがより自然に見える。また、上記と同様に、発光パネルの表面に模様が見えるようにして美観を高めることも可能である。
【００１１】
請求項６に記載の発光装置は、透明樹脂板の対向する二つの縁部に光源を配置するとともに、表面と直角に近い方向（たとえば表面に対して９０°±３０°程度の範囲）に光を屈折させて出射させるシートを当該透明樹脂板の表面に積層した発光パネルを、室内の天井部分に複数配置したことを特徴とする。たとえば図７（ａ）・（ｂ）のようにするのである。
この発光装置によれば、発光パネル１枚につき光源が２カ所に設けられているうえ、発光パネルの表面と直角に近い方向に光を屈折させることができるため、光源の光が発光パネルの表面と直角に近い方向にのみ出射される。このような発光パネルを複数枚天井に配置した発光装置は、下方の床面に向けて効率よく光を到達させることができるため、従来の蛍光灯や白熱球等を使った照明器具に代わる、薄くて省エネルギー性能にもすぐれた照明装置とすることが可能である。帯状に並べるシステム天井（天井に組んだ枠体に天井板をはめ込んで構成する天井）としても利用できる。
【００１２】
請求項７に記載の発光装置は、複数の発光パネルを陳列棚に組み込んだことを特徴とする。発光パネルを組み込む場所は、棚そのものでもよいし、棚の側面や背面でもよい。
この発光装置は、陳列棚に含まれる面全体を光らせるので、従来のハロゲンライトなどによる照明とは異なる様相で、その陳列棚および陳列品を見せることができる。したがって、このような棚は、ワイングラスのようなガラス製品や宝飾品などを美しく見せる効果を有し、そのような商品の売り場やホテルのフロントなどに適している。
【００１３】
請求項８に記載の発光装置は、複数の発光パネルを階段の各段における踏み板としたことを特徴とする。
この発光装置では、発光パネルの表面を上に向けて配置する。階段の踏み板を光らせるには、一般的には踏み板内部に光源を入れるしかなく、利用者が踏み板を踏むと光源に力がかかる恐れがあった。しかしこの発光装置によれば、光源が発光パネルの縁部に配置されているので、利用者が踏み板を踏んでも光源には力がかからず、理にかなっている。踏み板の上面が光っている階段は、美しいうえに安全でもある。
【００１４】
請求項９に記載の発光装置は、複数の発光パネルを、階段またはフロアにおける手摺の笠木の下部に配置したことを特徴とする。ここでいう階段またはフロアとは、踏み板が移動するエスカレータや動く歩道等も含む。図６には、そのような発光装置の一例を示している。
この発光装置によれば、これまで装飾的な要素のなかった笠木の下部に、美観をともなう模様を照らし出すことができる。上記と同様に、散乱部を模様の配置にして発光パネルの表面に模様を光らせることもできる。さらに、透明樹脂板の表面に模様をプリントするか、または模様をプリントしたシートを重ねてもよい。
【００１５】
上記のようにする場合、請求項１０の発光装置のように、発光パネルの透明樹脂板に、表面と裏面との間で遮光されない部分を設けてもよい。
すなわち、散乱シートの散乱部を部分的に配置することで、散乱部のないスペースからは光がほとんど出射せず、発光装置の向こう側にある風景が透けて見える。したがって、発光装置の一部からは模様が光って見え、他の部分からは向こうが見えるという、これまでにない美観を有する手摺を提供できる。
【発明の効果】
【００１６】
請求項１に記載の発光装置によれば、省電力・軽量・低価格の発光パネルで種々の配置や大きさを有する面光源を構成して空間を照明し、装飾できる。さらに、自由にデザインした模様を発光パネルの表面に出射できるので、装飾性を一層高めることも可能である。
請求項２に記載の発光装置によれば、流れ落ちる液体を発光パネルから出射する光が輝かせるので、装飾効果の高い照明やインスタレーションを提供できる。とくに請求項３に記載の発光装置によれば、発光パネルの表面で水が一面に広がって、照明やインスタレーションとしての美しさが強調される。
【００１７】
請求項４に記載の発光装置によれば、天井部分に設ける照明として、大型かつ自由な模様を見せるものを提供できる。請求項５に記載の装置なら、天井付近に光が流れているように見せる効果がある。
請求項６に記載の発光装置によれば、十分な輝度の光を天井から真下に向けて発することができる。
請求項７に記載の発光装置によれば、発光パネルにより陳列棚そのものを美しく見せることができるほか、ガラス製品のような陳列品をとくに美しく見せることができる。
請求項８に記載の発光装置によれば、階段を美しくかつ安全にする。また、光る踏み板でありながら、光源には力がかからないという利点がある。維持管理も容易である。
請求項９および１０に記載の発光装置によれば、手摺の笠木の下部を全面的または部分的な照明・装飾に利用できる。
【発明を実施するための最良の形態】
【００１８】
発明による発光装置の実施形態を、図１〜７に基づき説明する。
【００１９】
図１は、発明の第１実施形態としての発光装置１を例示する正面図であり、図２は、図１におけるII部の詳細を示す断面図、図３は、発光装置１を構成する発光パネル２の断面図である。
【００２０】
発光装置１は、図１に示すように、複数枚の発光パネル２を８段の円形のカスケード（階段状の滝）状に集合させたもので、全体を裾広がりの円柱形状に構成している。発光装置１は、上位にある発光パネル２から下位にあるものにかけて各表面２ａに水が伝い得るように配置した発光装置本体１０と、発光装置本体１０の上に設けた第１の水盤１１と、発光装置本体１０の下に設けた第２の水盤１２とを有する。なお、図示していないが、これらのほかに、給排水手段または水の循環手段、電力供給手段等も備えている。
【００２１】
発光パネル２は、図２に示すように、ＬＥＤによる光源４を上に、表面２ａを外側にして、上位の発光パネル２を伝い落ちた水が下位の発光パネル２に滝のように落ちるよう、段差を設けて配置している。各段の発光パネル２は、図示しない架台に支持具（図示せず）を介して取付けて、各段ごとに適当な高さに固定している。あるいは、発光パネル２のサイズに合わせた枠を備えた架台に、１枚ずつはめ込んで固定してもよい。
【００２２】
発光パネル２の詳細は、図３に示すように、透明なアクリル製の導光板３、その導光板３の一つの（上側に位置させる）縁部３ａに配置した光源４、光源４の周囲に取り付けたアルミフレーム製の反射板５、アクリル導光板３の裏面３ｂに積層した散乱シート６、散乱シート６にさらに積層した反射シート７、アクリル導光板３の表面３ａに積層した親水性皮膜９とからなる。散乱シート６には、入射した光の出射角度を変える散乱部６ａを印刷している。散乱シート６については、シートやフィルムを貼るのではなく、光を散乱させる部分を導光板３に直接プリントすることによって同等の機能をもたせてもよい。
【００２３】
発光パネル２の光源４から出た光は、直接または反射板５で反射したのち、アクリル導光板３に縁部３ａから入射する。入射した光は、アクリル導光板３内部で全反射を繰り返すうちに散乱シート６の散乱部６ａに当たって反射の角度を変え、発光パネル２の表面２ａから出射する。反射シート７によって裏面２ｂからの光の出射が防げるので、表面２ａでの輝度が高くなる。アクリル導光板３の表面３ａと親水性皮膜９との間に拡散シート（図示せず）を設けてもよい。拡散シートは、散乱部６ａを目立たなくする作用をもつ。
【００２４】
このように構成した発光装置１において、給排水手段または水の循環手段によって第１の水盤１１に水を供給し、水盤から水をあふれさせると、水は最上位の発光パネル２上を流れ落ち、順次下位の発光パネル２へと伝っていく。親水性皮膜９の作用で、水は各発光パネル２の表面２ａを広く覆うようきれいに広がる。上下に並ぶ発光パネル２の段差の部分では、水が幕状（カーテン状）およびしずく状になって滝のように落下する。最下位の発光パネル２から流れ落ちた水は第２の水盤１２で回収され、循環手段によってさらに第１の水盤１１へ送られる。水は、発光装置本体１０を伝いながら流れ落ちる間、発光パネル２の表面２ａおよび下部の縁部から出る光によって輝くので、発光装置１はインスタレーション（オブジェ）として空間を演出することができる。発光パネル２の上下間の距離や設置する角度を調整することにより、あふれてきた液体が輝きながら静かに落ちるという日本的な雰囲気を演出することもできる。
【００２５】
ＬＥＤによる光源４は、消費電力量や発熱量が少ないので、ランニングコストが低く抑えられるうえ、環境対策にも貢献できるメリットがある。また、発光パネル２は軽量・低価格であるため、発光装置１を大きいサイズに構成しやすい。光源を別に用意する必要がないため、発光装置１の設置・解体も容易である。したがって、屋外での利用はもとより、ホテルのロビーやビルのエントランスホール、イベント会場の装飾などに好適である。
【００２６】
図４に、発明の第２実施形態としての発光装置２１を示す。発光装置２１は、曲面加工した発光パネル２２を５重の円形に組み合わせた発光装置本体２０と、発光パネル２２の配置を固定し、かつ発光装置本体２０を天井に取付けるための支持具２３とからなる。
【００２７】
発光装置本体２０は、曲面加工を施した複数の発光パネル２２を、ＬＥＤを用いた光源４（図３参照）を上にし、表面２ａを外側にして並べたものである。たとえば半径６０ｃｍ、１１０ｃｍ、１６０ｃｍ、２１０ｃｍ、２６０ｃｍの５組の円形体２４を集合させることができる。中心にある円形体２４ほど低くなるよう高さに変化をつけて同心円に配置し、支持具２３で光源４側を支持するとともに天井に取り付けている。
【００２８】
発光パネル２２の断面構造は、図３に示したものと同じである。ただし、親水性皮膜９や反射シート７はなくてもよい。散乱シート６に印刷する散乱部６ａを装飾的な模様にして、発光パネル２２の表面にその模様が光って見えるようにしている。このことにより、発光装置２１は単なる面光源ではなく、シャンデリアのように装飾的な機能を併せ持つ天井照明器具として利用できる。模様として桜のような題材を選択すると、シャンデリアのような照明装置でありながら日本的な美しさを感じさせることもできる。
【００２９】
図５(ａ)・(ｂ)に、発明による第３実施形態としての発光装置３１を示す。発光装置３１は、複数枚の発光パネル３２を川のように配置した発光装置本体３０と、発光装置本体３０を包み込む折り上げ天井３３と、発光装置本体３０を折り上げ天井３３に取付けるための支持具３４とからなる。また、ＬＥＤを用いた光源４の点灯や色・光の強弱を順次変化させるための調光手段（図示せず）も備えている。
【００３０】
発光装置本体３０は、複数枚の発光パネル３２の光源４を上にして、川の流れのように全体の方向や幅に変化をつけて配置し、折り上げ天井３３から支持具３４で吊り下げている。折り上げ天井３３の形状は、発光装置本体３０に沿うよう方向や幅を設定している。発光パネル３２の構成は、図３のものと基本的に同じとする。ただし、親水性皮膜９や反射シート７はなくてもよい。
【００３１】
発光装置３１は、調光手段によって発光パネル３２の光源４を順次点灯させたり、高輝度にする発光パネル３２を順次変化させることにより、下から見上げた人に光が流れているように見せる効果を有する。このような発光装置３１は、照明だけでなくアート作品としても利用することができる。発光パネル３２の散乱部を、波や藤などの模様として散乱シート６に印刷すると、さらに装飾性が高くなる。
【００３２】
図６に、発明の第４実施形態としての発光装置４１を示す。発光装置４１は、フロアに設置した手摺４３の笠木４４の下部に配置したもので、ＬＥＤを用いた光源（図示せず）が上もしくは下または双方の縁部に配置された発光パネル４２と、隣接する発光パネル４２の間に設けた支柱４５とからなる。支柱４５は、隣接する発光パネル４２を連結保持するとともに、フロアに立てて固定し、笠木４４と発光パネル４２を支持する（発光パネル４２の厚みを増すか、ガラス面に貼るなどして発光パネル４２を自立させた場合には、支柱４５を省略できる）。
【００３３】
発光パネル４２の構成は、基本的には図３の発光パネル２と同じとする（以下も図３におけるものと同じ符号を用いて説明する）が、光源４を下の縁部に配置してもよい。散乱シート６には、都会の風景を模様にした散乱部６ａを印刷している。また、反射シート７は散乱部６ａが印刷されている部分のみに積層している。親水性皮膜９はなくてもよい。したがって、散乱部６ａの模様が発光パネル４２の表面から光って見えると同時に、反射シート７のない部分では透明性が保たれ、発光装置４１の向こうの景色も見ることができる。一般的に、手摺の下部をこのように装飾的に構成することは従来なかった。なお、発光パネル４２に反射シート７を積層せずに、表裏両面に光が出射するようにしてもよい。
【００３４】
図７（ａ）・（ｂ）は、発明の第５実施形態を示す発光装置５１である。発光装置５１は、帯状に配置した複数枚の発光パネル５２と、発光パネル５２を天井に固定するための取付け具（図示せず）からなる。発光パネル５２は、図７（ｂ）に示すように、向かい合う縁部にＬＥＤを用いた光源４を備え、表面５２ａに、光源４の光が表面５２ａに直角に近く出射するようプリズムシート５３を積層している。光源４が２カ所にあることと、プリズムシート５３で出射する方向を限定しているので、発光パネル５２は、天井に取付けたとき、真下に向けての輝度が高い。したがって、発光装置５１は、室内の天井の全面に配置しなくても室内に十分な照度を提供でき、設置コストやランニングコストを低く抑えることができる。さらに、光源４が縁部に配置されていて取り扱いが容易なため、システム天井に組み込むことも可能である。
【００３５】
発明の発光装置は、これらの実施形態に限られるものではなく、図示はしていないが、階段の光る踏み板として利用したり、エレベータのドアに装飾的に利用することも可能である。
【００３６】
光源には、ＬＥＤのほかに蛍光灯や冷陰極管等を用いてもよい。必要であれば光源の周囲に防塵または防水の処理を施すことが望ましい。なお、アクリル導光板としては、「ユキルミナス」（(株)ユキ・エンタープライズ製）を使用することができる。ユキルミナスは、住友化学（株）製の高透過板アクリル「スミペックス０１３」に微細加工をしたもので、厚さ５ｍｍ、最大サイズ１２００×３３００ｍｍである。
【図面の簡単な説明】
【００３７】
【図１】図１は、発明の実施形態を示す発光装置１の正面図である。
【図２】図２は、図１におけるII部の詳細を示す断面図である。
【図３】図３は、図１等の例で使用する発光パネル２の断面図である。
【図４】図４は、別の実施形態を示す発光装置２１の断面図である。
【図５】図５(ａ)は、さらに別の実施形態を示す発光装置３１の概略図（下から見た図）で、同(ｂ)は、そのｂ−ｂ断面図である。
【図６】図６は、さらに別の実施形態を示す発光装置４１の正面図である。
【図７】図７(ａ)は、さらにもう一つの実施形態である発光装置５１を斜め下方から見た全体図で、同(ｂ)は、そのｂ−ｂ断面図である。
【図８】図８は、従来の表示板１’を示す斜視図である。
【符号の説明】
【００３８】
１・２１・３１・４１・５１  発光装置
２・２２・３２・４２・５２  発光パネル
３  導光板
４  光源
５  反射板
６  散乱シート
７  反射シート
９  親水性皮膜
１０・２０・３０  発光装置本体
５３  プリズムシート
【図１】
2010092655.tif 000003
【図２】
2010092655.tif 000004
【図３】
2010092655.tif 000005
【図４】
2010092655.tif 000006
【図５】
2010092655.tif 000007
【図６】
2010092655.tif 000008
【図７】
2010092655.tif 000009
【図８】
2010092655.tif 000010